(57)【特許請求の範囲】
【請求項１】
梁部材に立設されたスタッド材アンカー部に当接する支持片と、梁部材上面に立設する支持軸と、前記支持軸に取付けられて支持軸方向に進退可能な天端表示部とからなり、前記支持軸は前記支持片に螺合して支持片を支持軸方向に進退可能となっており、前記支持軸を回転させることで前記梁部材上面と前記スタッド材アンカー部間を前記支持軸と前記支持片により張架した状態で固定することを特徴とするコンクリート天端表示具。
【請求項２】
前記支持軸は、その上部に支持軸を回転させるための回転係止部を備えていることを特徴とする請求項1に記載のコンクリート天端表示具。
【請求項３】
前記支持片が、スタッド材に止着する止着部を備え、前記止着部はスタッド材の胴部に嵌合するよう断面略Ｕ字型に形成されていることを特徴とする請求項1乃至請求項２に記載のコンクリート天端表示具。
【請求項４】
前記支持片が、スタッド材に止着する止着部を備え、前記止着部はスタッド材のアンカー部に上方から嵌合し、アンカー部下面に当接して係止する係止片が形成されていることを特徴とする請求項1乃至請求項２に記載のコンクリート天端表示具。
【発明の詳細な説明】
【０００１】
【産業上の利用分野】
この発明は鉄骨造のスラブコンクリートの打設において、スラブの厚さに応じたコンクリート天端を表示するためのものであって、特に、梁部材となるＨ型鋼材に所定の間隔で溶着されたスタッド材に取付けることのできるコンクリート天端表示具に関する。
【０００２】
【従来の技術】
従来、この種のコンクリート天端表示具として、実公平７−５６４５２号が開示されている。その形態は、スタッド材に止着する取付金具とその取付金具に上下に進退可能な天端表示部材とからなり、スタッド材の胴部に取付金具に設けた締付けボルトを締付けて止着し、天端表示部材を所定の高さになるよう調整するものである。
【０００３】
【発明が解決しようとする課題】
しかし、上記従来の方法では、以下のような問題があった。
１．スタッド材への取付けに関して、取付ける時は、既にスラブの配筋、鉄筋やメッシュ筋が配置されているので、スタッド材は配筋より下側に配置され、したがって、作業者は配筋より下側で締付けボルトを回す必要があった。すなわち、作業者は工具を使って締付けボルトを締付けるが、配筋下にある水平方向に設けた締付けボルトを回すことは、配筋に工具が当たり、回し難く、作業時間も浪費していた。
２．取付け強度に関して、取付金具の締付けボルトの軸力によりスタッド材の円筒状の胴部を締付けて止着するが、締付る当面が円弧状であるために、軸力を掛けても、円周方向に滑動する可能性があった。すなわち、配筋上に突出した状態となる天端表示部材や支持軸に、例えば、コンクリートホースがぶつかることや、作業者が蹴つまずくなど突発的な強い外圧が加わることで、取付金具がスタッド材の円周方向に滑動して緩み、表示した天端がズレたり、最悪の場合、外れてしまうことも懸念されていた。
【０００４】
【課題を解決するための手段】
この発明は上記従来の課題に鑑みなされたもので、その目的は、スタッド材への取付けが配筋後でも容易で、しかも、コンクリートホースがぶつかるなどの外力により緩み、外れもない、強固な取付けが可能であると共に、精度よくコンクリート天端を表示することができるコンクリート天端表示具を提供することにある。
【０００５】
その手段として、本発明の請求項1は、梁部材に立設されたスタッド材アンカー部に当接する支持片と、梁部材上面に立設する支持軸と、前記支持軸に取付けられて支持軸方向に進退可能な天端表示部とからなり、前記支持軸は前記支持片に螺合して支持片を支持軸方向に進退可能となっており、前記支持軸上部の回転部を回転させることで前記梁部材上面と前記スタッド材アンカー部間を前記支持軸と前記支持片により張架した状態で固定することを特徴とするものである。
【０００６】
本発明の請求項２は、上記支持軸は、その上部に支持軸を回転させるための回転係止部を備えていることを特徴とするものである。
【０００７】
本発明の請求項３は、上記支持片が、スタッド材に止着する止着部を備え、前記止着部はスタッド材の胴部に嵌合するよう断面略Ｕ字型に形成されていることを特徴とするものである。
【０００８】
本発明の請求項４は、上記支持片が、スタッド材に止着する止着部を備え、前記止着部はスタッド材のアンカー部に上方から嵌合し、アンカー部下面に当接して係止する係止片が形成されていることを特徴とするものである。
【０００９】
【発明の実施の形態】
本発明の実施例を図面を用いて詳細に説明する。図１は本発明の第１実施例を示す斜視図である。支持片１０は、水平方向所定長さで板状の腕部１１と、前記腕部の先端部でスタッド材Ｂの胴部Ｂ１に嵌合することができ、水平断面が略Ｕ字型になるように薄鋼板を折り曲げて形成された止着部１１ａとからなっており、前記腕部の基端部にはメネジ部１２が設けられている。メネジ部１２は腕部１１の垂直面にナットを溶着して形成する。腕部１１はスタッド材への取付けの際、その胴部Ｂ１より大径のアンカー部Ｂ２に天端表示部３０が当らない程度の長さに突出すればよいので出来るだけ短いほうが良い。支持軸２０は梁部材に立設するもので、前記支持片のメネジ部１２に螺合するようにオネジが切り込まれている。そして、支持軸を回転させることで、支持片が支持軸の軸方向に進退可能となる。２１は支持軸の上部に設けられた回転係止部であり、ツブシ形状になっていて、スパナ等の締付け工具を掛止して支持軸が回転できるように設けられたものである。なおこの回転係止部２１は、ドライバーが差し込みできるように支持軸頭部に切り込みを入れたり、ボックスレンチが使えるように支持軸頭部を多角形状に形成することでもよい。３０は天端表示部である。天端表示部３０は、支持軸２０に螺合するメネジ３１を設けた台座３２と、前記台座３２の上部に立設された３本の柱部３４・・と、前記柱部３４の上端に設けられたコンクリート天端を表示する頭部５と、前記頭部５上に立設したアンテナ部３６とからなり、一体に形成されている。天端表示部３０は、回転させることで支持軸２０に沿って上下に進退可能となる。柱部３４・・は、合成樹脂製であり、可撓性を有すると共に復元性を有し、コンクリートホースがぶつかる等の外力に対して、一旦は撓むものの復元して元の状態にもどることができる。
【００１０】
図２は本発明の第２実施例を示す斜視図、図3はその側面図である。支持片１００は、水平方向所定長さでＬ字板状の腕部１１１と、前記腕部１１１の上部の先端部でスタッド材Ｂの胴部Ｂ１に嵌合することができ、水平断面が略Ｕ字型になるように薄鋼板を折り曲げて形成された止着部１１１ａとからなっており、前記腕部１１１の下部の基端部にはメネジ形成部１１５が設けられている。メネジ形成部１１５は腕部１１１の基端部の上側を水平方向に折り曲げることにより形成され、そのメネジ形成部１１５の面に空けた穴に直接メネジ１１２が形成されている。１１３はＵ字型である止着部１１１ａの先端部を外側に折り曲げて形成した押止片であり、１１４はＵ字型の止着部１１１ａの屈曲部に貫穿された開口部である。止着部１１１ａをスタッド材に嵌合する場合、Ｕ字型の開口幅がスタッド材の胴部より小さくなるように変形させることにより、スタッド材へ仮止めが可能となり、その際に、押止片１１３は外側に開いているので、内側に押し込み易くなる。それから開口部１１４は変形し易くなるために形成したものである。また、支持片１００は、メネジ形成部を含む腕部と止着部と薄鋼板により一体的に形成しているので、加工性が良い。支持軸１２０、及び、天端表示部１３０は第一実施例の支持軸２０、及び、天端表示部３０と同じ形態であるので説明を省略する。なお、メネジ形成部１１５は、腕部１１１の基端部下側を水平方向に折り曲げてもよい。
【００１１】
図４は本発明の第３実施例を示す斜視図、図５はその中央断面図である。支持片２００は、一枚の板で折り曲げ形成されたものであり、腕部２１１と止着部２１１ａとで形成されている。水平部と垂直部を持つＬ字型の腕部２１１の下部水平部の基端部はメネジ形成部２１５となっており、腕部２１１の上方先端部に前記止着部２１１ａがある。止着部２１１ａは側方から見てコの字型で下方に開口した形状となっており、アンカー部Ｂ２に上方から嵌合するようになっている。また、平面的に見ると、止着部２１１ａは四角形板状でアンカー部Ｂ２の上面に当接する基板面２１０を持ち、その４辺の縁部はアンカー部を囲むようにそれぞれ下方に向かって折り曲げられている。そして、その一辺が腕部２１１につながり、対向する一辺は再度その先端で斜め上方に折り曲げられてアンカー部Ｂ２の下面に当接して係止する第２係止片２１６が形成されている。また、腕部２１１の垂直部には、その部材の一部に切り込みを入れて斜め上方に突出するように折り曲げられてアンカー部Ｂ２の下面に当接して係止する第１係止片２１３と、前記第１係止片２１３の下方で、第１係止片２１３と同様に腕部２１１に切り込みを入れてほぼ水平に突出するように折り曲げられてスタッド材胴部Ｂ１に当接する当接片２１４が形成されている。また、腕部２１１の側面は折り曲げられている。これにより支持片の強度アップが図れている。水平面となっているメネジ形成部２１５にはメネジ２１２を形成する。支持軸２２０、及び、天端表示部２３０は第一実施例の支持軸２０、及び、天端表示部３０と同じ形態であるので説明を省略する。
【００１２】
また、図８に示すように、本発明の第４実施例として、腕部３１１と止着部３１１ａとからなる支持片３００において、Ｕ字型の止着部３１１ａの両側の辺に開口部を貫穿し、そこにクサビ３４０を差し込むことでスタッド材胴部を締め込み、支持片をスタッド材に仮止めできるようにしてもよい。
【００１３】
次に本発明の使用方法を第２実施例を用いて説明する。図６は本発明の第２実施例のスタッド材への取付け状態を示す斜視図、図７は本発明の第２実施例の使用状態図である。断面略Ｕ字型の支持片１００の止着部１１１ａを、梁部材として使用するＨ型鋼材Ａの上面に垂設するスタッド材Ｂの胴部に向かって嵌め入れた後、押止片１１３を内側に押し込み、開口幅がスタッド材の胴部の外径より小さくなるように変形させ、仮止めする。次に天端表示具１３０を柱部１３４・・・の部分で折り曲げて、支持軸１２０が露出した状態とし、上端に形成したツブシ部１２１にスパナ等の工具を用いて支持軸を回転させて下方に移動させる。そして支持軸１２０の下端面が梁部材であるＨ型鋼材Ａ上面に当接するとともに、止着部１１１ａの上端がアンカー部Ｂ２の下面に当接し、さらに支持軸を回転させることで、梁部材上面とスタッド材アンカー部間を支持軸と支持片の止着部とにより張架した状態として締め付け固定する。締め付け後、元の状態に復元した天端表示具１３０を回転させ、コンクリート天端に合わせて、高さ調整する。同様にして、Ｈ鋼材に適宜間隔で垂設したスタッドに、本発明のコンクリート天端表示具を適当な間隔になるように取付け、その後コンクリート天端Ｄまでコンクリートを打設する。なお、本発明の第１及び第４実施例では止着部が、第２実施例の止着部と若干形状が異なるが、止着部の上端をアンカー部下面に当接させる点では使用方法は第２実施例と変わらない。また、本発明の第３実施例でも、止着部をアンカー部の上方から嵌合させる点が異なるが、アンカー部下面に当接する当接片が形成されているので、前記第２の実施例と同様に支持軸を固定できる。
【００１４】
【発明の効果】
以上詳細に説明したように、本発明の請求項1によれば、梁部材に立設されたスタッド材アンカー部に当接する支持片と、梁部材上面に立設する支持軸と、前記支持軸に取付けられて支持軸方向に進退可能な天端表示部とからなり、前記支持軸は前記支持片に螺合して支持片を支持軸方向に進退可能となっており、前記支持軸を回転させることで前記梁部材上面と前記スタッド材アンカー部間を前記支持軸と前記支持片により張架した状態で固定するようにしているので、スタッド材に強固に取付けできる。すなわち、構造部材である梁部材と、その梁部材に溶着により強く固定されたスタッド材のアンカー部間に、強いネジの軸力による張力により固定しているために、非常に強い固定力を得ることができ、したがって、コンクリートホースがぶつかるなどの外力にも十分耐え、締付けボルトの緩み、外れなども解消できる。さらに天端表示具が支持軸の軸方向に進退可能となっているので、支持軸の固定後に天端表示具の高さ調整が可能となり、スラブの施工精度が向上する。
【００１５】
本発明の請求項２によれば、支持軸は、その上部に支持軸を回転させるための回転係止部を備えているので、締付け位置が配筋下になったとしても、配筋に工具が当ることなく上方から容易に締付け作業ができ、作業効率が向上する。
【００１６】
本発明の請求項３によれば、支持片が、スタッド材に止着する止着部を備え、前記止着部はスタッド材の胴部に嵌合するよう断面略Ｕ字型に形成されているので、スタッド材に対し、横方向から移動して嵌め、開口幅をスタッド材の胴部より小さくなるように変形させたり、Ｕ字型の両辺にクサビを差し込むことにより、スタッド材へ仮止めが可能となり、取付け作業が非常に簡単になり、作業効率が向上する。
【００１７】
本発明の請求項４によれば、支持片が、スタッド材に止着する止着部を備え、前記止着部はスタッド材のアンカー部に上方から嵌合し、アンカー部下面に当接して係止する係止片が形成されているので、支持片の止着部をアンカー部の上方から嵌合させるだけで、簡単に支持片をスタッドに仮止めできる。その結果作業効率が向上する。
【図面の簡単な説明】
【図１】本発明の第１実施例を示す斜視図
【図２】本発明の第２実施例を示す斜視図
【図３】本発明の第２実施例を示す側面図
【図４】本発明の第３実施例を示す斜視図
【図５】本発明の第３実施例を示す中央断面図
【図６】本発明の第２実施例の取付け状態を示す斜視図
【図７】本発明の第２実施例の使用状態図
【図８】本発明の第４実施例を示す斜視図
【符号の説明】
１０、１００、２００、３００          支持片
１１、１１１、２１１、３１１          腕部
１１ａ、１１１ａ、２１１ａ、３１１ａ  止着部
２０、１２０、２２０                  支持軸
２１                                  回転係止部
２１３                                第１係止片
２１６                                第２係止片
３０、１３０、２３０                  天端表示部
Ａ    梁部材（Ｈ型鋼材）
Ｂ    スタッド材
Ｂ１  胴部
Ｂ２  アンカー部
Ｃ    配筋
Ｄ    コンクリート天端
Ｅ    デッキプレート
【図１】
0003712201.tif 000002
【図２】
0003712201.tif 000003
【図３】
0003712201.tif 000004
【図４】
0003712201.tif 000005
【図５】
0003712201.tif 000006
【図６】
0003712201.tif 000007
【図７】
0003712201.tif 000008
【図８】
0003712201.tif 000009